(57)【特許請求の範囲】
【請求項１】
それぞれの四面に外壁を有する第１建物躯体及び第２建物躯体と、前記第１建物躯体及び第２建物躯体の間に設けられ、これら第１建物躯体及び第２建物躯体を接続して該第１建物躯体及び第２建物躯体間を往き来自在にする接続部を備え、前記第１建物躯体は平面視矩形状に形成されるとともに、寝室、リビング、ダイニング等の居住スペースのうち少なくとも一つを備え、前記第２建物躯体は、平面視において短辺が、前記第１建物躯体の短辺より短く、かつ長辺が前記第１建物躯体の長辺と対向して配置される平面視矩形状に形成されるとともに、台所、洗面所、浴室等の水廻スペースのうち少なくとも一つを備え、前記第１及び第２建物躯体は、敷地の形状，方位に対応して配置され、前記敷地は平面視において平行でない離間した二つの側辺部を有し、当該側辺部の長手方向の一端部側から他端部側に向かって狭窄した略台形状となっており、前記第１建物躯体は前記敷地の一方の側辺部に沿って当該側辺部と長辺を平行にして配置され、前記第２建物躯体は前記敷地の他方の側辺部に沿って当該側辺部と長辺を平行にして配置され、前記第１建物躯体と前記第２建物躯体とが正面側に向かって開くように配置され、更に前記接続部は、前記第１建物躯体と前記第２建物躯体との間に形成される部分を正面側の外壁パネル、背面側の外壁パネル及び上面側の屋根パネルとで囲むように覆うことで形成され、前記第１、第２建物躯体の少なくとも１階部分と接続されていることを特徴とする建物。
【発明の詳細な説明】
【技術分野】
【０００１】  本発明は、建物及び建物の構築方法に関するものである。
【背景の技術】
【０００２】  例えば、特開平１０−１３１５２４号公報、特開平１０−１０２７９５号公報等に示される従来の住宅は、該住宅が構築される敷地の形状に合わせて、住宅全体のプランを設計し、この設計に基づいて構築されるのが一般的である。
【０００３】  ところで、近年、住宅の構築についてはその工業化が進み、例えば壁や床、屋根などの構成要素を予め工場でパネル化し、施工現場でパネルを組み立てて建築物を構築するといったパネル工法が採用されている。なお、パネル工法に用いられるパネルは、主に木質パネルであり、縦横の框材を矩形状に組み立てるとともに、矩形枠の内部に補助棧材を縦横に組み付けて枠体を構成し、この枠体の両面もしくは片面に、面材を貼設したものである。
このようなパネル工法などを採用した工業化住宅を構築する場合、構築すべき敷地の形状に対応できるように、所定の種類、大きさの住宅プランを予め複数用意し、構築される敷地に対応したプランで設計して、構築することが考えられる。
【発明が解決しようとする課題】
【０００４】  しかし、上述したような工業化住宅の構築方法では、住宅を構築すべき敷地が独特な形状を有している場合、該敷地に対応した工業化住宅プランが用意されていない場合があり、その際には、一般的に住宅を構築する際と同様に、前記敷地の独特な形状に合わせて住宅全体プランを設計し、それに基づいて構築する必要が生じ、手間が掛かっていた。
【０００５】  本発明は、上記事情を鑑みてなされたもので、独特な形状を有する敷地にも容易に構築できる建物及び建物の構築方法を提供する。
【課題を解決するための手段】
【０００６】      【課題を解決する手段】  本願発明は、それぞれの四面に外壁を有する第１建物躯体及び第２建物躯体と、前記第１建物躯体及び第２建物躯体の間に設けられ、これら第１建物躯体及び第２建物躯体を接続して該第１建物躯体及び第２建物躯体間を往き来自在にする接続部を備え、前記第１建物躯体は平面視矩形状に形成されるとともに、寝室、リビング、ダイニング等の居住スペースのうち少なくとも一つを備え、前記第２建物躯体は、平面視において短辺が、前記第１建物躯体の短辺より短く、かつ長辺が前記第１建物躯体の長辺と対向して配置される平面視矩形状に形成されるとともに、台所、洗面所、浴室等の水廻スペースのうち少なくとも一つを備え、前記第１及び第２建物躯体は、敷地の形状，方位に対応して配置され、前記敷地は平面視において平行でない離間した二つの側辺部を有し、当該側辺部の長手方向の一端部側から他端部側に向かって狭窄した略台形状となっており、前記第１建物躯体は前記敷地の一方の側辺部に沿って当該側辺部と長辺を平行にして配置され、前記第２建物躯体は前記敷地の他方の側辺部に沿って当該側辺部と長辺を平行にして配置され、前記第１建物躯体と前記第２建物躯体とが正面側に向かって開くように配置され、更に前記接続部は、前記第１建物躯体と前記第２建物躯体との間に形成される部分を正面側の外壁パネル、背面側の外壁パネル及び上面側の屋根パネルとで囲むように覆うことで形成され、前記第１、第２建物躯体の少なくとも１階部分と接続されていることを特徴とする建物である。
【発明を実施するための形態】
【００２２】  以下に、本発明に係る発明の実施の形態例を図１から図に基づいて説明する。なお、本発明を適用した建物はどのように構築されていても良いが、以下の各実施の形態では、複数階を有しパネル工法により構築された住宅として説明する。
【００２３】＜第１実施の形態＞
図１〜図３に示す住宅１は、所定形状、ここでは、対向する両辺部が平行でなく変形した平面視角形状の敷地２内に構築され、平面視略正方形状の第１建物躯体３と、第１建物躯体３と左右に並ぶように構築された平面視略長方形状の第２建物躯体４と、第１建物躯体３と第２建物躯体４との間に設けられ、これら第１建物躯体３と第２建物躯体４と接続する接続部５とを備える。
【００２４】  敷地２は互いに平行でない離間した２側辺部２１，２２を有し、これら２側辺部２１，２２の間に住宅１は構築されている。右側つまり西側の側辺部２１は、南北に延在し、左側つまり東側の側辺部２２は北側から東南に延在するものである。そして、この敷地２は、北側で東西に延在する辺部より南側で東西に延在する辺部の方が長く、平面視して南側から北側に向かって狭窄した略台形状の敷地となっている。また、この敷地２には、住宅１の第１建物躯体３の正面側つまり南側にウッドデッキ１１が設けられ、このウッドデッキ１１には、プール１２が設けられている。
【００２５】  第１建物躯体３は、一側面部（図２及び図３では、左側、つまり西側の外壁３ａ）を敷地２の一側辺部２１に沿うように敷地２に構築されている。
この第１建物躯体３の１階部分３１には、図２に示すように、正面側の外壁３ｂに開閉自在の窓３１ａが設けられている。
【００２６】  また、第２建物躯体４と対面する外壁、ここでは右側、つまり東側の外壁３ｃに２つの開口部３１ｂ，３１ｃが形成され、１階部分３１から接続部５内への往き来を自在としている。詳細には、開口部３１ｂを介して接続部５内の玄関５１へ、開口部３１ｃを介して接続部５内の階段５２の下の階段下スペース５３へ往き来自在となっている。  そして、１階部分３１には、正面側にリビング３２が設けられ、窓３１ａを介して外部のウッドデッキ１１に往き来自在となっており、このリビング３２に連通して該リビング３２の背面側にはダイニング３３が設けられている。これらリビング３２及びダイニング３３の床面は面一であり、フローリング材により構成され一体のものとなっている。なお、ダイニング３３に隣接して、床がフローリング仕上げされていない室３３ａが配置されている。
【００２７】  また、この第１建物躯体３の２階部分３５には、図３に示すように、背面側の外壁に当接して寝室３６が設けられ、第２建物躯体４と対面する外壁、つまり東側の外壁３ｃに形成された開口部３１ｄを介して接続部５内への往き来が可能となっている。  詳細には、開口部３１ｄを介して階段５２上部に接続された２階廊下５４に往き来可能となっている。
また、寝室３６の正面側、且つ１階部分３１のリビング３２の上方部分は、吹き抜け３７となっており、正面側の外壁３ｂに設けられた窓３５ａから入射した外光が寝室３６やリビング３２、さらにダイニング３３に入るようになっている。このように第１実施の形態の第１建物躯体３はリビング３２、ダイニング３３、寝室３６等の居住スペース専用の躯体となっており、住宅１が構築される敷地２において所定の位置、ここでは、矩形状ではない変形した形状の一側辺部２１に沿った位置に固定的に構築されている。
【００２８】  第２建物躯体４は、敷地２に、一側面部（図中、右側、つまり東側の外壁４ａ）を前記一側辺部２１に対向する敷地２の他側辺部２２に沿わせて、且つ第１建物躯体３と所定間隔を空けて離間した状態で構築されている。つまり、変形した形状の敷地２において第１建物躯体３が固定的に配置された領域を除く敷地２の領域の形状，方位に合わせて構築されたものである。これにより、第２建物躯体４の左側、つまり西側の外壁４ｂは、第１建物躯体３の東側の外壁３ｃに対して傾斜した状態となっており、第１建物躯体３と第２建物躯体４とが正面側に向かって開くように、つまり、平面視ハ字状に配置された状態となっている。
【００２９】  この第２建物躯体４の１階部分４１には、図２に示すように、背面側、つまり北側から台所４２、便所４３及び収納室４４が順に設けられている。また、１階部分４１の西側の外壁４ｂには、台所４２の西側部分に接続部５への往き来を自在とした開口部４１ａ，４１ｂが設けられている。詳細には、開口部４１ａ，４１ｂを介して階段下スペース５３や玄関ホール５１ｃへ往き来自在となっている。これら開口部４１ａ，４１ｂと、開口部３１ｂ，３１ｃとで第１建物躯体３及び第２建物躯体４とは連通した状態で、通路的な役割を果たす接続部５を介して往き来可能となっている。
【００３０】  また、第２建物躯体４の２階部分４５には、背面側、つまり北側からクローゼット４６、２階のトイレ４７、洗面所４８及び浴室４９が設けられている。
なお、クローゼット４６、２階のトイレ４７はそれぞれ１階部分４１の台所４２、トイレ４３の真上に配置されており、洗面所４８の一部及び浴室４９は１階部分４１の収納室４４の真上に配置されている。そして、西側の外壁４ｂのクローゼット４６の西側部分には、２階廊下５４へ往き来自在とする開口部４５ａが設けられている。
このように、第２建物躯体４は、台所４２、トイレ４３、２階のトイレ４７、洗面所４８及び浴室４９といった水廻系の部屋を備えているものである。これにより水廻設備のための配管作業を第２建物躯体４のみ行うだけでよく、その作業が容易となる。
【００３１】  接続部５は、第１建物躯体３と第２建物躯体４との間に形成される部分を正面側の外壁パネル、背面側の外壁パネル及び上面側の屋根パネルとで囲むように覆うことで形成されている。
接続部５は、図２に示すように一階部分５０に、玄関ドア５１ａ、玄関土間５１ｂ及び玄関ホール５１ｃ等を備える玄関５１と、２階部分に接続され、該２階部分への往き来自在とする階段５２と、階段５２裏に設けられた階段下スペース５３等とを備える。玄関５１は平面視して正面倒が底面部分となる台形状をなし、玄関ホール５１ｃにより、第１建物躯体３及び第２建物躯体４とを連通する通路を形成し、これら第１建物躯体３及び第２建物躯体４とを接続している。
【００３２】  また、階段５２は、平面視して正面側が底面部分となる台形状をなす直階段であり、上方には吹き抜け５７が設けられている。このように玄関５１が第１建物躯体３及び第２建物躯体４の間の接続部５に設けられていることから、玄関５１から第１建物躯体３及び第２建物躯体４のどちらにでも短い動線で容易に移動することができる。なお、接続部に設けられている階段５２を、上下階を接続する昇降手段として、エレベータやエスカレータ（Ｒ）などとしてもよい。
また、２階部分５５には、階段５２に接続され、接続部５の背面側の外壁に当接して配置された２階廊下５４と、玄関ホール５１ｃの真上に配置されたウッドデッキ部５６とを備える。
ウッドデッキ部５６は、背面側で階段上の吹き抜け５７と仕切られているとともに外方と連通して設けられ、第２建物躯体４の外壁４ｂに形成された開口部４５ｂにより洗面所４８から往き来自在に形成されている。
【００３３】  次に、上述したように構成された住宅１の構築方法を説明する。
まず、所定形状の第１建物躯体３と第２建物躯体４のプランを用意しておき、住宅が構築されるべき敷地２における第１建物躯体３の所定の配置位置、ここでは、敷地２の一側辺部２１に沿うようにして、敷地２の北側付近の配置位置を決定する。
ついで、第２建物躯体４を第１建物躯体３の配置位置と、敷地２の形状，方位とに対応させた位置、ここでは、敷地内において第１建物躯体３の東側の位置、つまり、敷地における北東の位置の、敷地２の他辺部２２に沿った配置位置を決定する。
そして、第１建物躯体３及び第２建物躯体４との間の接続部５の配置位置を決定した後、前記第１建物躯体３、第２建物躯体４を構築し、次いで、これら第１建物躯体３と第２建物躯体４との間を、木質パネルなどで囲むことで接続部５を構築し、第１建物躯体３及び第２建物躯体４とを接続する。
【００３４】  このように構築された住宅１によれば、敷地２の形状，方位に対応させて第２建物躯体４を構築しているため、敷地２の形状，方位に対応させて敷地２を十分利用して好適に住宅１を構築することができる。詳細には、寝室３６、リビング３２、ダイニング３３等の居住スペースが第１建物躯体３に設けられ、台所４２、トイレ４３、４７、洗面所４８及び浴室４９等の水廻設備を備えた水廻スペースが第２建物躯体４に設けられており、これらは、その形態を変更させることなく敷地に配置され、所定の大きさで確実に確保される。そして、第１及び第２建物躯体３．４との間に、階段５２、玄関ホール５１ｃ、２階廊下５４、ウッドデッキ５６等のように第１建物躯体３と第２建物躯体４とを接続する通路を主に備えている。この接続部５は、第２建物躯体４の配置位置によりその大きさが決定されるものであるが、通路を主に備えるものであるので居住する際に、居住者は不便を感じることがないものとなる。
また、形状の異なる敷地毎に該敷地に対応した住宅のプランを用意しておく必要がない。
【００３５】＜第２の実施の形態＞
図４に示す住宅１Ａは、平面視矩形状の敷地２Ａに構築されており、平面視略長方形状の第１建物躯体３Ａと、第１建物躯体３Ａと左右に並ぶように構築された平面視略長方形状の第２建物躯体４Ａと、第１建物躯体３Ａと第２建物躯体４Ａとの間に設けられ、これら第１建物躯体３Ａと第２建物躯体４Ａとを接続する接続部５Ａとを備え、第１建物躯体３Ａ及び第２建物躯体４Ａは、敷地２Ａ内において敷地２Ａの互いに略平行で且つ対向する２側辺部のそれぞれに沿うように構築されている。なお、敷地２Ａは、長辺部が北西から東南に沿って配置されたものとなっている。
【００３６】  第１建物躯体３Ａは、隣り合う左側の外壁と背面側の壁とが、敷地２Ａの一側辺部２１Ａと、該一側辺部２１Ａと隣り合う背面側側辺部、つまり北東側の側辺部とに沿って配置されており、図４（ａ）に示すように、１階部分３１Ａには背面側、つまり北東側から台所３０２と、該台所３０２の西南側で隣接し、且つ台所３０２と連通するリビングダイニング３０３と、西南側の外壁でリビングダイニング３０３と仕切られているとともに西南側の外壁に設けられた開閉する窓によりリビングダイニング３０３から往き来自在のテラス３０４とを備える。
台所３０２はいわゆるオープンキッチンであり、リビングダイニング３０３と同一の部屋に設けられている。
【００３７】  また、図４（ａ）に示すように、第１建物躯体３Ａの右側、つまり東南側の外壁の一階部分には、部屋の略中央部分と、テラス３０４の右側部分とにそれぞれ接続部５Ａと連通する開口部３１ｆ、３１ｇが形成され、第１建物躯体３Ａと接続部５Ａとの間の往き来が自在となっている。なお、開口部３１ｇには開閉する片開きドアが取り付けられている。
そして、この第１建物躯体３Ａの２階部分３５Ａには、図４（ｂ）に示すように、一階部分３１Ａの部屋の上部に、寝室３０６、居間３０７等の部屋が設けられ、テラス３０４の上部には、寝室３０６から出入り可能なバルコニー３０８が設けられている。また、２階部分３５Ａの右側、つまり東南側の外壁には、居間３０７と接続部５内とを連通する開口部３１ｊが設けられている。
このように第１建物躯体３Ａは、リビングダイニング３０３、寝室３０６、居間３０７等のように主に居住空間を有する躯体となっている。
【００３８】  第２建物躯体４Ａは、敷地２Ａの北西側に配置された第１建物躯体３Ａの配置位置、敷地２Ａの形状、方位に対応させて敷地２Ａにおいて該敷地２Ａの東南側の位置に配置されている。詳細には、敷地２Ａに、一側面部（図中、右側、つまり東南側の側部４ｅ）を前記一側辺部２１Ａに対向する敷地２の他側辺部２２Ａに所定間隔を空けて沿わせ、且つ第１建物躯体３Ａと所定間隔を空けて離間した状態で構築されている。なお、外壁４ｅと他側辺部２２Ａとの間の所定間隔とは、外壁４ｅの外方に車Ｃを駐車できる間隔（カーポート４０１）であり、この間隔を含めて、第２建物躯体４Ａは、敷地２において第１建物躯体３が固定的に配置された領域を除く敷地２の領域の形状に合わせて構築されている。
【００３９】  この第２建物躯体４Ａの１階部分４１Ａの北東側の外壁には、図４（ａ）に示すように、内部に形成されたカーポート４０２の出入り口となる開口部４１ｃが形成されている。
そして、このカーポート４０２の西南側に洗面台４０３ａを狭んで廊下４０３、洗面所４０４が配置され、廊下４０３に隣接してトイレ４０５、サウナ室４０６が配置されている。廊下４０３は、左右に延在し、開口部４１ｄを介して接続部５に連通したものとなっている。
また、洗面所４０４の西南側に隣接して浴室４０７がサウナ室４０６の東南側で並ぶように配置されている。
また、カーポート４０１に隣接して住宅１Ａの西南側に気泡風呂４０８が配置され、洗面所４０４から往き来可能なものとなっている。なお、この気泡風呂４０８の上方には、オーニング４１４が設けられている。
【００４０】  また、第２建物躯体４Ａの２階部分４５Ａには、背面側、つまり北東側から部屋４０９、トイレ４１０が右側、つまり東南側から並んで設けられ、これら部屋４０９及びトイレ４１０に隣接して、住宅１Ａの正面側、つまり西南側には、寝室４１１、バルコニー４１２が順に設けられている。
部屋４０９及び寝室４１１は同一の空間内に連通して設けられ、この空間の左側つまり北西側の外壁である第２建物躯体４Ａの外壁には、開口部４１ｆが設けられている。
このように第２建物躯体４Ａには、カーポート４０２とともに、トイレ４０５，４１０、洗面所４０４、浴室４０７、気泡風呂４０８等の水廻設備を有する部屋を主に備えた躯体となっている。
【００４１】  接続部５Ａは、第１建物躯体３Ａと第２建物躯体４Ａとの間に形成され、第１建物躯体３Ａ及び第２建物躯体４Ａの互いに対向する外壁間に、正面側の外壁パネル、背面側の外壁パネル、１階床パネル、２階床パネル及び上面側の屋根パネル等を設けることで室内空間を形成している。
接続部５Ａは平面視して北東側から南西側に延在する長方形状をなし、一階部分５０Ａに、玄関ドア５０１ａ、玄関土間５０１ｂ及び玄関ホール５０１ｃ等を備える玄関５０１と、２階部分５５Ａに接続され、該２階部分への往き来自在とする階段５０２と、玄関ホール５０１ｃと階段５０２とを接続する一階廊下５０３等とを備える。
【００４２】  玄関５０１は北東側に設けられ、住宅１Ａの北東側から玄関ドア５０１ａを介して内部に出入り可能となっている。
玄関５０１の玄関ホール５０１ｃは、開口部３１ｆを介して、第１建物躯体３Ａ内と連通し、該第１建物躯体３Ａに往き来自在となっている。
一階廊下５０３は、住宅１Ａの北東側から南西側に延在し、南西側端部で階段５０２の登り口と、開口部４１ｄを介して廊下４０３と接続されている。
また、階段５０２は直階段であり、住宅１Ａの正面側から北東側に向かって上がるように構成されている。なお、接続部に設けられている階段５０２を、上下階を接続する昇降手段として、エレベータやエスカレータ（Ｒ）などとしてもよい。
【００４３】  この接続部５Ａの２階部分５５Ａは、玄関土間５０１ｂの上方に配置された吹き抜け５０５と、階段５０２の上端部に接続される二階廊下５０６、階段５０２上方の吹き抜け５０７とを備える。
二階廊下５０６は、開口部３１ｊ，４１ｆを介して、それぞれ第１建物躯体３Ａの居間３０７と、第２建物躯体４Ａの部屋４０９、トイレ４１０及び寝室４１１とを接続しており、これら第１建物躯体３Ａと第２建物躯体４Ａ間の往き来が自在となっている。
【００４４】  この住宅１Ａの構築方法は、上述した住宅１と同様に、まず、所定形状の第１建物躯体３Ａと第２建物躯体４Ａのプランを用意しておき、住宅１Ａが構築されるべき敷地２Ａにおける第１建物躯体３Ａの所定の配置位置、ここでは、敷地２Ａにおいて該敷地２の一側辺部２１Ａに沿うようにした、敷地２の北西側の位置を決定する。
ついで、第２建物躯体４Ａを第１建物躯体３Ａの配置位置と、敷地２Ａの形状，方位とに対応させた配置位置、ここでは、敷地２Ａの他辺部２２に沿った敷地２Ａの東南側の配置位置を決定する。
そして、第１建物躯体３Ａ及び第２建物躯体４Ａとの間の接続部５Ａの配置位置を決定した後、前記第１建物躯体３Ａ、第２建物躯体４Ａを構築し、次いで、これら第１建物躯体３Ａと第２建物躯体４Ａとの間を、木質パネルなどで囲むことで接続部５Ａを構築し、第１建物躯体３Ａ及び第２建物躯体４Ａとを接続する。
【００４５】  このように構築された住宅１Ａによれば、敷地２Ａの形状，方位に対応させて第２建物躯体４Ａを構築しているため、敷地２Ａの形状，方位に対応させて敷地を十分利用して好適にカーポート４０１付きの住宅１Ａを構築することができる。
【００４６】＜第３実施の形態＞
図５に示す住宅１Ｂは、平面視六角形状の敷地２Ｂに構築されたものであり、敷地２Ｂ内に構築された平面視略長方形状の第１建物躯体３Ｂと、第１建物躯体３Ｂに対して東南側に並ぶように構築された平面視略長方形状の第２建物躯体４Ｂと、第１建物躯体３Ｂと第２建物躯体４Ｂとの間に設けられ、これら第１建物躯体３Ｂと第２建物躯体４Ｂとを接続する接続部５Ｂとを備える。そして、この住宅１Ｂは、第２建物躯体４Ｂを敷地２Ｂの形状，方位に対応させて配置することで構築されたものである。なお、この第３実施の形態においては、住宅１Ｂの玄関側を背面側として説明する。
【００４７】  敷地２Ｂは、互いに平行で且つ所定間隔を空けて配置された左右側辺部２１Ｂ，２２Ｂと、左側辺部２１Ｂの両端部でそれぞれ左側辺部２１Ｂと直交して隣り合う正面側辺部２３及び背面側辺部２４と、左側辺部２１Ｂより長さが短い右側辺部２２Ｂの両端部と正面側辺部２３及び背面側辺部２４とをそれぞれ接続する斜辺部２５，２６とを備える。つまり、平面視して、北東から南西に延在する長方形状の敷地の東南側に、東南側端部が上底となる等脚台形状の敷地が連続して設けられた形状をなしている。
【００４８】  第１建物躯体３Ｂは敷地２Ｂに、左側、ここでは北西側の外壁３ｅが敷地２Ｂの左側の側辺部２１Ｂに沿うように構築されており、一階部分３１Ｂには、背面側、東南側の壁にカーポート３１５の出入口となる開口部３１ｈが形成され、右側、つまり東南側の外壁３ｆに２つの開口部３１ｋ、３１ｌが形成されている。
また、この第１建物躯体３Ｂは、一階部分３１Ｂにカーポート３１５の他に、カーポート３１５に隣接して浴室３１６、洗面所３１７、トイレ３１８が設けられ、これら浴室３１６、洗面所３１７、トイレ３１８のそれぞれに隣接してウォークインクローゼット３１９が設けられ、このウォークインクローゼット３１９へは、該ウォークインクローゼット３１９に隣接して設けられた寝室３２０から出入り可能となっている。
【００４９】  さらに、この第１建物躯体３Ｂの２階部分３５Ｂには、図５（ｂ）に示すように、カーポート３１５の上部に設けられ、アウトダイニングとなるバルコニー３２４と、バルコニー３２４に隣接配置され２階背面外壁部３ｉにより仕切られる台所（オープンキッチン）３２１と、台所３２１と連通するダイニング（インナーダイニング）３２２、トイレ３２３とを備える。
この２階部分３５Ｂの接続部５側の外壁３ｆに、バルコニー３２４の右側部分（右側の手摺壁部分）及び台所３２１とダイニング３２２との間の部分にそれぞれ、切欠部３１ｍ，開口部３１ｎが形成されている。
【００５０】  この実施の形態の住宅１Ｂの第１建物躯体３Ｂは、カーポート３１５とともに浴室３１６、洗面所３１７、トイレ３１８，３２３及び台所３２１等の水廻系を備えた躯体となっている。
【００５１】  第２建物躯体４Ｂは、敷地２Ｂに、右側面（図中、右側、つまり北東側の外壁４ｆを敷地２Ｂの右側辺部２２Ｂに沿わせて、且つ第１建物躯体３Ｂと所定間隔を空けて離間するように構築されている。つまり、変形した形状の敷地２Ｂにおいて第１建物躯体３Ｂが固定的に配置された領域を除く敷地２Ｂの領域の形状に合わせて構築されたものである。これにより、第２建物躯体４Ｂの左側、つまり北西側の外壁４ｇは、第１建物躯体３Ｂの北東側の外壁３ｆに対して平行となっており、第１建物躯体３Ｂと第２建物躯体４Ｂとが敷地２Ｂ内に並んで配置された状態となっている。
【００５２】  この第２建物躯体４Ｂの１階部分４１Ｂには、図５（ａ）に示すように、背面側、つまり北東側から南西側に並べて２つの寝室４２０、４２０が設けられ、これら寝室４２０、４２０間は取り外し可能な間仕切り壁４ｈにより仕切られている。これら寝室４２０は、外壁４ｇに形成された開口部４ｊ、４ｋを介して接続部５Ｂに出入り自在となっている。なお、開口部４ｊ，４ｋにはそれぞれ開閉自在のドアが取り付けられている。
また、第２建物躯体４Ｂの２階部分４５Ｂには、図５（ｂ）に示すようにリビング４２２が設けられている。
外壁４ｇの２階部分には、リビング４２２の側方で、且つ第１建物躯体の切欠部３１ｍ，開口部３１ｎにそれぞれ対向する位置に開口部４ｍ，４ｎが形成されている。これら開口部４ｍ，４ｎには、それぞれ他端部が切欠部３１ｍ，開口部３１ｎが接続された外廊下部５２０、二階廊下部５２１の一端部が接続されている。
【００５３】  接続部５Ｂは、第１建物躯体３Ｂと第２建物躯体４Ｂとの間に形成される部分を正面側の外壁パネル、背面側の外壁パネル及び上面側の屋根パネル等とで囲みことで構成され、第１建物躯体３Ｂと第２建物躯体４Ｂとを接続する室内空間を備える。
接続部５Ｂは、一階部分５０Ｂに、玄関ドァ５１０ａ、玄関土間５１０ｂ及び玄関ホール５１０ｃ等を備える玄関５１０と、２階部分５５Ｂに接続され、該２階部分５５Ｂへの往き来自在とする階段５１１と、玄関ホール５１０ｃと階段５１１とを接続する一階廊下５１３と、一階廊下５１３の南西側に隣接して配置されたウッドデッキ部５１５等とを備える。
【００５４】  玄関５１０は背面側に設けられ、住宅１Ｂの背面側から玄関ドア５１０ａを介して出入り可能となっている。
玄関５１０の玄関ホール５１０ｃは、開口部４ｉを介して、第２建物躯体４Ｂ内と連通し、該第２建物躯体４Ｂ内の寝室４２０に往き来自在となっている。
一階廊下５１３は、住宅１Ｂの背面側から正面側、つまり北東側から南西側に延在し、階段５１１の登り口と、正面側端部で開口部３１ｌ，４ｋを介して第１建物躯体３Ｂと第２建物躯体４Ｂとに接続され、往き来自在となっている。
また、階段５１１は直階段であり、住宅１Ａの背面側から正面側に向かって上がるように構成されている。階段５１１の上方は吹き抜けになっており、階段５１１の上端部は開口部３１ｎ，４ｎとに架け渡された二階廊下部５２１に接続されている。なお、接続部に設けられている階段５１１を、上下階を接続する昇降手段として、エレベータやエスカレータ（Ｒ）などとしてもよい。また、玄関ホール５１０及び一階廊下５１３の上方は図５（ｂ）に示すように吹き抜け５２７になっている。
【００５５】  このように構成された住宅１Ｂの構築方法としては、まず、所定形状の第１建物躯体３Ｂと第２建物躯体４Ｂのプランを用意しておき、住宅１Ｂが構築されるべき敷地２Ｂにおいて第１建物躯体３Ｂを所定の位置、ここでは、敷地２の一側辺部２１Ｂに沿うようにした、敷地２の北西側部分付近への配置位置を決定する。
ついで、第２建物躯体４Ｂを第１建物躯体３Ｂの配置位置と、敷地２Ｂの形状，方位とに対応させた位置、ここでは敷地２Ｂの東南側付近で且つ敷地２Ｂの他辺部２２Ｂに沿った配置位置を決定する。
そして、第１建物躯体３Ｂ及び第２建物躯体４Ｂとの間の接続部５Ｂの配置位置を決定した後、前記第１建物躯体３Ｂ、第２建物躯体４Ｂを構築し、次いで、これら第１建物躯体３Ｂと第２建物躯体４Ｂとの間を、木質パネルなどで囲むことで接続部５Ｂを構築し、第１建物躯体３Ｂ及び第２建物躯体４Ｂとを接続する。
【００５６】  このように構築された住宅１によれば、第１建物躯体３Ｂの配置位置、敷地２Ｂの形状，方位に対応させて第２建物躯体４Ｂを構築しているため、敷地２Ｂの形状，方位に対応させて敷地を十分利用して好適に住宅１を構築することができる。
また、本実施の形態のように工業化住宅の場合、敷地毎に、該敷地の形状，方位に対応させた複数種の住宅プランを設計する必要がなく、また形状の異なる敷地毎に該敷地に対応した住宅のプランを用意しておく必要がない。
【００５７】＜第４の実施の形態＞
図６に示す住宅１Ｃは、対向する辺どうしがそれぞれ平行でなく１組の隣り合う２つの辺部のみが直交した平面視変形四角形状をなす敷地２Ｃ内に構築されており、平面視略長方形状の第１建物躯体３Ｃと、第１建物躯体３Ｃと左右に並ぶように構築された平面視略長方形状の第２建物躯体４Ｃと、第１建物躯体３Ｃと第２建物躯体４Ｃとの間に設けられ、これら第１建物躯体３Ｃと第２建物躯体４Ｃと接続する接続部５Ｃとを備える。
敷地２Ｃは、東西南北に位置する４隅を備え、南西側の辺部と北西側の辺部２１Ｃとが略直交して接合され北西側の辺部の北側の端部に、前記南西側の辺部り短い辺部（北東側の辺部）が東に向かって、南西側の辺部に対して離間するように傾斜して接続され、この北東側の辺部の東側端部と、前記南西側の辺部の南側端部とを東側の辺部２２Ｃで接続することでなる。
【００５８】  この住宅１Ｃでは、敷地２Ｃの東南側の一側辺部（図６では右側の側辺部）２２Ｃに長辺部（図６において第１建物躯体３Ｃの右側の外壁３ｋ）を沿わせて、第１建物躯体３Ｃが構築され、第２建物躯体４Ｃは敷地２Ｃの形状，方位に対応させた位置、ここでは、一側辺部２２Ｃと対向する他辺部（図６では左側の側辺部）２２Ｃに長辺部（図６において第２建物躯体４Ｃの左側の外壁４ｐ）を沿わせて構築されている。これら第１建物躯体３Ｃと第２建物躯体４Ｃは平面視ハ字状に配置された状態となっている。
【００５９】  第１建物躯体３Ｃの１階部分３１Ｃには、図６（ａ）に示すように、略北側に寝室（メインベッドルーム）３３０が設けられ、寝室３３０の略西側（図６（ａ）では左側）に隣接してトイレ３３１、浴室３３２、洗面所３３３等の水廻設備を有する部屋が設けられている。
また、寝室３３０の略南側には、間仕切り壁３３４ａで仕切られた第２寝室３３４が設けられ、第２寝室３３４の正面側には、外壁３ｌに仕切られたテラス３３５が設けられている。さらに、第２寝室３３４の西側に隣接してバーカウンター３３６ａを備えたリビング３３６が設けられている。
【００６０】  この第１建物躯体３Ｃの２階部分３５Ｃには、北東側の隅部に台所（オープンキッチン）３３８が設けられ、台所３３８に隣接してリビング３３９、ダイニング３４０が連通して設けられている。そしてリビング３３９の南側で隣接してインナーバルコニー３４１が設けられている。
【００６１】  第２建物躯体４Ｃの１階部分４１には、図６（ｂ）に示すように、カーポート４３０が設けられ、正面側、つまり南西側の外壁４ｑに形成された開口部４１ｊがカーポート４３０の出入口となっている。このカーポート４３０は車を縦置きで２台駐車できるように構成されている。また、このカーポート４３０の背面側、つまり北東側には、第２建物躯体４Ｃの２階部分に接続され、該２階部分への往き来するための階段４３１が配設されている。
また、第２建物躯体４Ｃの２階部分には、階段４３１に接続された部屋（パーティルーム）４３２が設けられ、この部屋４３２の正面側には２階正面外壁４ｒにより仕切られたウッドデッキ部４３４が設けられている。なお、このウッドデッキ部４３４は、２階正面外壁４ｒに取り付けられた開閉自在の窓４１ｋを介して部屋４３２に往き来可能となっている。また、このウッドデッキ部４３４は、接続部５Ｃの有する外廊下５３５と面一に形成されているとともに、外廊下５３５によりインナーバルコニー３４１に接続されている。
【００６２】  接続部５Ｃは、第１建物躯体３Ｃと第２建物躯体４Ｃとの間に形成される部分を正面側の外壁パネル、一階床パネル、２階床パネル、背面側の外壁パネル及び上面側の屋根パネル等で形成された屋内空間を備える。
接続部５Ｃは、一階部分５０Ｃの正面側の外壁に沿って設けられ、玄関ドア５３１ａ、玄関土間５３１ｂ及び玄関ホール５３１ｃ等を備える玄関５３１と、２階部分に接続され、該２階部分への往き来自在とする階段５３２等とを備える。
なお、接続部５Ｃに設けられている階段５３２を、上下階を接続する昇降手段として、エレベータやエスカレータ（Ｒ）などとしてもよい。
玄関５３１は、平面視して正面側が底面部分となる台形状をなし、玄関ホール５３１ｃにより、第１建物躯体３Ｃ及び第２建物躯体４Ｃとを開口部を介して連通させ、これら第１建物躯体３Ｃ及び第２建物躯体４Ｃとを接続している。
また、階段５３２の上方は吹き抜けとなっている。
また、２階部分５５には、接続部５Ｃの背面側の外壁に当接して配置されるとともに階段５３２に接続された２階廊下５３４を備え、この２階廊下５３４は左右で第２建物躯体４Ｃの部屋４３２と、第１建物躯体３Ｃのリビング３３９とを接続し、第１建物躯体３Ｃ及び第２建物躯体４Ｃを連通させた状態としている。
【００６３】＜第５の実施の形態＞
図７及び図８に示す住宅１Ｄは、北側から南側に延在する２つの側辺部２１Ｄ，２２Ｄが南側に向かって開くように配置されるとともに、南側の側辺部２３Ｄが円弧状をなす平面視略扇状の敷地２Ｄ内に構築されており、平面視略長方形状の第１建物躯体３Ｄと、第１建物躯体３Ｄと左右に並ぶように構築された平面視略長方形状の第２建物躯体４Ｄと、第１建物躯体３Ｄと第２建物躯体４Ｄとの間に設けられ、これら第１建物躯体３Ｄと第２建物躯体４Ｄと接続する接続部５Ｄとを備える。
【００６４】  この住宅１Ｄでは、敷地２Ｄの東南側の一側辺部（図７では右側の側辺部）２２Ｄに長辺部（図６において第１建物躯体３Ｄの右側の外壁３ｍ）を沿わせて、第１建物躯体３Ｄが構築され、第２建物躯体４Ｄは敷地２Ｄの形状，方位に対応させた位置、ここでは、一側辺部２２Ｄと対向する他辺部（図６では左側の側辺部）２１Ｄに長辺部（図６において第２建物躯体４Ｄの左側の外壁４ｓ）を沿わせて構築されている。これら第１建物躯体３Ｄと第２建物躯体４Ｄは平面視ハ字状に配置された状態となっている。
【００６５】  第１建物躯体３Ｄの１階部分３１Ｄには、図７に示すように、リビング３５１、ダイニング３５２及び台所（オープンキッチン）３５３が一体となった部屋が設けられている。
また、第１建物躯体３Ｄの２階部分３５Ｄには、正面側、つまり南側の外壁に隣接して寝室（メインベッドルーム）３５５が設けられ、この寝室３５５の背面側つまり北側に向かって順に第２寝室３５６、小部屋３５７が設けられている。
また、第２寝室３５６の左側つまり西側には書斎３５８が隣接して設けられ、書斎３５８の背面側にはトイレ３５９が設けられている。
【００６６】  第２建物躯体４Ｄの１階部分４１には、図７に示すように、カーポート４４０が設けられ、正面側、つまり正面側の外壁４ｔに形成された開口部４１ｌがカーポート４４０の出入口となっている。このカーポート４４０は車を縦置きで２台駐車できるように構成されている。また、このカーポート４４０の背面側、つまり北側には、トイレ４４１が隣接して設けられ、トイレ４４１の背面側には浴室４４２及び洗面所４４３が左側つまり西側から順に並んで設けられている。つまり、この第２建物躯体４Ｄは一階部分にカーポート４４０とともに、トイレ４４１、浴室４４２及び洗面所４４３といった水廻設備を備えた水廻スペースを備える。
また、この第２建物躯体４Ｄは、２階部分に、図８に示すように、広縁４４４を有し、背面側の外壁に当接して設けられた和室４４５と、正面側の外壁に当接して設けられた茶室４４６と、飛び石４４７ａを有し広縁４４４と茶室４４６間に設けられた庭４４７等が設けられている。
【００６７】  接続部５Ｄは、第１建物躯体３Ｄと第２建物躯体４Ｄとの間に形成される部分を正面側の外壁パネル、一階床パネル、２階床パネル、背面側の外壁パネル及び上面側の屋根パネル等で形成された屋内空間を備える。
接続部５Ｄは、一階部分５０Ｄの正面側の外壁に設けられた玄関ドア５４１ａ、玄関土間５４１ｂ等とを備える玄関５４１と、２階部分に接続され、該２階部分への往き来自在とする階段５４２と、階段５４２の降り口と玄関土間５４１ｂとを接続する１階ホール５４３等とを備える。なお、接続部５Ｄに設けられている階段５４２を、上下階を接続する昇降手段として、エレベータやエスカレータ（Ｒ）などとしてもよい。
玄関土間５４１ｂは、左側で当接する第２建物躯体４Ｄの外壁に形成された開口部４１ｐを介してカーポート４４０と連通し往き来自在となっている。
【００６８】  １階ホール５４３は南北に延在するものであり、南北の端部で第１建物躯体３Ｄの一階部分に形成された開口部を介して第１建物躯体３Ｄ内の部屋と接続されている。また、１階ホール５４３の北側端部では左側で当接する第２建物躯体４Ｄの外壁に形成された開口部４１ｍ，４１ｎを介して第２建物躯体４Ｄ内の水廻設備を備えたトイレ４４１、浴室４４２及び洗面所４４３に往き来自在となっている。なお、１階ホールの上方は吹き抜けとなっている。
階段５４２は折り返し階段であり、登り口は背面側に設けられ背面側から正面側に向かって昇降できるように構成されている。
【００６９】  ２階部分５５Ｄには、接続部５Ｄの背面側の外壁に当接して配置されるとともに階段５４２に接続された２階廊下５４５が設けられ、この２階廊下５４５は左右で第２建物躯体４Ｄの和室４４５と、第１建物躯体３Ｄの書斎３５８とを接続し、第１建物躯体３Ｄ及び第２建物躯体４Ｄを連通させた状態としている。
また、正面側の外壁に当接し、且つ玄関土間５４１ｂの上部にインナーバルコニー５４６が東西に延在するように設けられ、このインナーバルコニー５４６は第１建物躯体３Ｄの寝室３５５と第２建物躯体４Ｄの広縁４４４とを接続している。
【００７０】＜第６の実施の形態＞
図９に示す住宅１Ｅは、略正方形状の敷地において西側の隅部が切り欠かれて形成された平面視五角形状の敷地２Ｅに構築されたものであり、敷地２Ｅ内に構築された平面視略長方形状の第１建物躯体３Ｅと、第１建物躯体３Ｅと前後で並ぶように所定間隔空けて構築された平面視略長方形状の第２建物躯体４Ｅと、第１建物躯体３Ｅと第２建物躯体４Ｅとの間に設けられ、これら第１建物躯体３Ｅと第２建物躯体４Ｅとを接続する接続部５Ｅとを備える。
そして、この住宅１Ｅは、第２建物躯体４Ｅを敷地２Ｅの形状，方位に対応させて配置することで構築されたものである。なお、この実施の形態においては、住宅１Ｅの玄関側を正面側、つまり、北西側として説明する。
【００７１】  敷地２Ｅは、北西から東南に延在する互いに平行で且つ離間して配置された左右の２つの側辺部２１Ｅ，２２Ｅと、北東から南西に延在する互いに平行で且つ離間して配置された正面側辺部２３Ｅ及び背面側辺部２４Ｅと、正面側辺部２３Ｅの右側端部と右側辺部２２Ｅの正面側端部とを結ぶ斜辺部２５Ｅとを有する。
つまり、正面側辺部２１Ｅは背面側辺部２２Ｅより短く、右側辺部２２Ｅは左側辺部２１Ｅより短いものとなっている。
【００７２】  第１建物躯体３Ｅは敷地２Ｅの略中央で、背面側、つまり東南側の外壁３ｐが敷地２Ｅの背面側辺部２４Ｅに沿うようにして北西側から東南側に延在するように構築されている。また、第１建物躯体３Ｅの右側には、隣接してウッドデッキ部３６１に囲まれたプール３６２が設けられ、ウッドデッキ部３６１は右側辺部２２Ｅに沿って配置されている。なお、ウッドデッキ部４３４の第１建物躯体３Ｅに沿う部分の上方には、オーニング３７１が設けられている。
この第１建物躯体３Ｅの一階部分３１Ｅには、正面壁に当接して第２寝室３６３が設けられ、この第２寝室３６３に隣接して背面側に寝室（メインベッドルーム）３６４が設けられている。また、この寝室３６４の背面側には洗面所３６５、トイレ３６６、サウナ室３６７、気泡風呂３６８等が設けられている。
また、この第１建物躯体３Ｅの二階部分３５Ｅには、図９（ｂ）に示すように、正面側の外壁に沿って屋外用リビング３６９が設けられ、屋外用リビング３６９の背面側には、背面側の外壁に沿った屋内用リビング３７０が設けられている。
【００７３】  第２建物躯体４Ｅは、敷地２Ｅに、左側、つまり北西側の外壁４ｕを敷地２Ｅの左側辺部２１Ｅに沿わせて、且つ第１建物躯体３Ｅと所定間隔を空けて離間するように構築されている。つまり、第２建物躯体４Ｅは変形した形状の敷地２Ｅにおいて第１建物躯体３Ｅが固定的に配置された領域を除く敷地２Ｅの領域の形状、方位に合わせて構築されたものである。
これにより、第２建物躯体４Ｅの右側、つまり南西側の壁４ｖは、第１建物躯体３Ｅの北東側の外壁に対して平行となっており、第１建物躯体３Ｅと第２建物躯体４Ｅとが敷地２Ｅ内に左右に並んで配置された状態となっている。
【００７４】  この第２建物躯体４Ｅの１階部分４１Ｅには、図９（ａ）に示すように、正面側つまり北西側の壁にカーポート４６１の出入口となる開口部４１ｑが形成されている。
また、この第２建物躯体４Ｅは、一階部分４１Ｅにカーポート４６１の背面側に該カーポート４６１に出入り可能な部屋４６２が設けられている。
さらに第２建物躯体４Ｅの２階部分には、図９（ｂ）に示すように、屋外用ダイニング４６３と、屋内に設けられたダイニング４６４及びキッチン４６５とを備える。
【００７５】  接続部５Ｅは、第１建物躯体３Ｅと第２建物躯体４Ｅとの間に形成される部分を正面側の外壁パネル、背面側の外壁パネル及び上面側の屋根パネルとで囲むとともに、１階及び２階床パネルを配置することで形成されている。
接続部５Ｅは、一階部分５０Ｅに、玄関ドア５５１ａ、玄関土間５５１ｂ及び玄関ホール５５１ｃ等を備える玄関５５１と、玄関ホール５５１ｃ及び２階部分５５Ｅとに接続され、玄関ホール５５１ｃから２階部分５５Ｅへの往き来自在とする階段５５２と、背面側の壁に沿って設けられた小部屋５５３と、小部屋５５３と玄関ホール５５１ｃとを接続する一階廊下５５５等とを備える。
【００７６】  玄関ホール５５１ｃは、上方に吹き抜けが設けられているとともに、第１建物躯体３Ｅ内の第２寝室３６３と連通し、該第１建物躯体３Ｅ内に往き来自在となっている。
一階廊下５５５及び小部屋５５３の上方は吹き抜けになっており、小部屋５５３は寝室３６４と連通している。
また、階段５５２は、住宅１Ｅの正面側から背面側に向かって上がるように構成されている。さらに階段５５２の途中に設けられた踊り場５５２ａから第２建物躯体４Ｅにおいてカーポート４６１とキッチン４６５との間に形成された図示しない収納空間に往き来可能となっている。また、階段５５２の上方は吹き抜けになっており、階段５５２の上端部は第１建物躯体３Ｅ及び第２建物躯体４Ｅとに往き来自在に接続された二階廊下部５５７に接続されている。
接続部５Ｅの２階部分には、図９（ｂ）に示すように二階廊下部５５７の他に、屋外用ダイニング４６３と屋外用リビング３６９との間に架設され、これら屋外用ダイニング４６３と屋外用リビング３６９とを接続する外廊下部５５８が設けられている。
なお、上記各実施の形態に示す住宅１、１Ａ〜１Ｅは、それぞれ、形状が矩形状ではない変形した形状の敷地に対応して構築されるものとして説明したが、これに限らず、平面視略正方形状の敷地に構築されてよいことは勿論である。
このような平面視略正方形状の敷地に対しても、該敷地に対応させ且つ有効利用して構築することができる。以下でその一例を示す。
【００７７】＜第７の実施の形態＞
図１０に示す住宅１Ｆは、略正方形状の敷地２Ｆに構築されたものであり、敷地２Ｆ内に構築された平直視略長方形状の第１建物躯体３Ｆと、第１建物躯体３Ｆと左側で並ぶように所定間隔空けて構築された平面視略長方形状の第２建物躯体４Ｆと、第１建物躯体３Ｆと第２建物躯体４Ｆとの間に設けられ、これら第１建物躯体３Ｆと第２建物躯体４Ｆとを接続する接続部５Ｆとを備える。
そして、この住宅１Ｆは、第２建物躯体４Ｆを敷地２Ｆの形状，方位に対応させて配置することで構築されたものである。なお、ここでは住宅１Ｆの正面側を南西側とする。
【００７８】  敷地２Ｆは、北東から南西に延在する互いに平行で且つ離間して配置された側辺部２１Ｆ，２２Ｆと、北西から東南に延在する互いに平行で且つ離間して配置された前後２つの側辺部２３Ｆ，２４Ｆとを備える。つまり、敷地２Ｆの四隅が東西南北の方位にそれぞれ位置するようになっている。
【００７９】  第１建物躯体３Ｆは、敷地２Ｆの東南側の側辺部２２Ｆに、右側つまり東南側の外壁３ｑが沿うように北東側から東西側に延在するように構築されている。
この第１建物躯体３Ｆの一階部分３１Ｆには、図１０（ａ）に示すように、正面壁に当接してリビング３８１が設けられ、このリビング３８１の背面側に隣接して和室３８２、ダイニング３８４が並んで右左に並んで設けられている。また、ダイニング３８４はリビング３８１と連通した状態で配置され、このダイニング３８４の背面側には該ダイニング３８４と連通した台所（オープンキッチン）３８５が設けられている。台所３８５は第１建物躯体３Ｆの左奥隅の入り隅部に沿って配置され、左右で接続部５Ｆと和室３８２に行き来自在に接続されている。
また、第１建物躯体３Ｆの正面側には、正面側の外壁を挟み且つ背面側辺部でリビング３８１に隣接して、且つ左側端部で玄関ポーチに接続されたウッドデッキ部３８３が設けられている。なお、このウッドデッキ部３８３の上方には、オーニング３９０が設けられている。
【００８０】  そして、第１建物躯体３Ｆの２階部分３５Ｆには、図１０（ｂ）に示すように、正面側の外壁に当接する寝室３８６が設けられている。寝室３８６の左側で当接する側壁には開口部が形成され、この開口部が他の２階廊下５７７に接続されている。この他の２階廊下５７７は、第２建物躯体４ＦのＳＯＨＯ４６６に接続されているものであり、寝室３８６は、他の２階廊下５７７を介してＳＯＨＯ１８６に行き来自在となっている。
寝室３８６の背面側には、右奥側の隅部に沿って配置され且つ仕切壁３８９ａで２つに仕切られた第２寝室３８９と、第２寝室３８９の左側つまり北西側に隣接して配置されたリビング（ファミリールーム）３８７とが設けられている。また左奥の隅部にはトイレが設けられている。リビング３８７は左側で接続された２階廊下５７６を介して第２建物躯体４Ｆから行き来自在となっている。
【００８１】  第２建物躯体４Ｆは、敷地２Ｆに、左側、つまり北西側の外壁４ｗを敷地２Ｆの左側辺部２１Ｆに沿わせて、且つ第１建物躯体３Ｆと所定間隔を空けて離間するように構築されている。つまり、第２建物躯体４Ｆは略正方形状の敷地２Ｆにおいて第１建物躯体３Ｆが固定的に配置された領域を除く敷地２Ｆの領域の形状、方位等に合わせて構築されたものである。
この第２建物躯体４Ｆの１階部分４１Ｆには、図１０（ａ）に示すように、正面側つまり北西側の壁にカーポート４８１の出入口となる開口部４１ｏが形成されている。
また、この第２建物躯体４Ｆは、カーポート４８１の背面側に収納室４８２とトイレ４８３とが配置され、さらに２階部分には、図１０（ｂ）に示すように、屋外用ダイニング４８５、屋内に設けられたＳＯＨＯ４８６、浴室４８７等が設けられている。さらに、この第２建物躯体４Ｆには、１階部分と２階部分との間に収納室（蔵）４８４が設けられている。
【００８２】  接続部５Ｆは、第１建物躯体３Ｆと第２建物躯体４Ｆとの間に形成される部分を正面側の外壁パネル、背面側の外壁パネル及び上面側の屋根パネルとで囲むとともに、１階及び２階床パネルを配置することで形成されている。
接続部５Ｆは、一階部分に、玄関ドア５７１ａ、玄関土間５７１ｂ及び玄関ホール５７１ｃ等を備える玄関５７１と、玄関ホール５７１ｃ及び２階部分５５Ｆに接続され、玄関ホール５７１ｃから２階部分５５Ｆへの往き来自在とする階段５７２と、背面側の壁に沿い且つ階段５７２の下に設けられた小部屋５７４と、小部屋５７４と玄関ホール５７１ｃとを接続する一階廊下５７３等とを備える。
【００８３】  玄関土間５７１ｂの上方は吹き抜け５７５が形成され、玄関ホール５５１ｃは、１階廊下５７３とともに上方に吹き抜けが設けられ、第１建物躯体３Ｆ内のリビング３８１に接続され、該第１建物躯体３Ｆ内に往き来自在となっている。
また、階段５７２は、住宅１Ｆの正面側から背面側に向かって上がるように構成され、上方は吹き抜けになっており、階段５７２の上端部は第１建物躯体３Ｆ及び第２建物躯体４Ｆとに往き来自在に接続された二階廊下５７６に接続されている。
【００８４】  このように第４〜第７の各実施の形態で説明した住宅の構築方法も上述した第１〜３の実施の形態のものと同様に、まず、所定形状の第１建物躯体と第２建物躯体のプランを用意しておき、住宅が構築されるべき敷地において第１建物躯体の所定の配置位置を決定する。ついで、第２建物躯体を第１建物躯体の配置位置と、敷地の形状、方位とに対応させた位置、ここでは、敷地の他辺部に沿った配置位置を決定する。
そして、第１建物躯体及び第２建物躯体との間の接続部の配置位置を決定した後、前記第１建物躯体、第２建物躯体を構築し、次いで、これら第１建物躯体と第２建物躯体との間を、木質パネルなどで囲むことで接続部を構築し、第１建物躯体及び第２建物躯体とを接続する。
【００８５】  このように第４〜７実施の形態の住宅では、敷地の形状，方位に対応させて第２建物躯体が配置しているため、敷地の形状，方位に対応させ、敷地面積を十分活用した住宅を構築することができる。
また、予め住宅のプランを用意しておく場合でも、敷地の形状毎に対応させた住宅全体のプランを用意する必要がなく、第２建物躯体を敷地の形状，方位に対応させて配置するだけで、所定の敷地を十分活用して住宅を構築することができる。また、第４〜７の実施形態において接続部に設けられている階段を、それぞれ上下階を接続する昇降手段として、エレベータやエスカレータ（Ｒ）などとしてもよい。
【００８６】  なお、上記かく実施の形態では、敷地に構築される住宅は第１建物躯体と第２建物躯体及び接続部とを備えるものとして説明したが、この構成が含まれるものであれば、どのように構成されていてもよい。
例えば、図１１に示すように、矩形状でない変形した形状の敷地２Ｇに構築された平面視略長方形状の第１建物躯体３Ｇと、敷地２Ｇの形状，方位に対応して構築された第２建物躯体４Ｇと、これら第１建物躯体３Ｇと第２建物躯体４Ｇとの間に設けられ、第１建物躯体３Ｇと第２建物躯体４Ｇとを接続する接続部５Ｇの他に、第１建物躯体３Ｇに接続された第３建物躯体６を構築してもよい。
図１１では、北東側から南西側に延在する略長方形状の敷地の西側の角部を取り、かつ東側の角部分を東南側に突出させた形状の敷地２Ｇに、第１〜第３建物躯体３Ｇ，４Ｇ、６とで平面視コ字状に配置されたものとなっており、これら第１〜第３建物躯体３Ｇ，４Ｇ、６の内側に中庭７が形成されるようになっている。なお、図１１に示す住宅１Ｇにおいて、第１建物躯体３Ｇでは一階部分に、リビング３９２兼ダイニング３９３が設けられ、２階部分には、リビング３９２の上部に寝室３９６が設けられ、ダイニング３９３の上部には吹き抜け３９５が設けられている。また、寝室３９６及び吹き抜け３９５の東南側には寝室３９６に接続された２階廊下３９７が東南から北西に延在するように設けられている。
【００８７】  また、第２建物躯体４Ｇは一階部分にカーポート４９２、玄関４９５、トイレ４９３、台所４９４等が設けられ、２階部分には、２つの寝室４９８，４９９が設けられている。さらに接続部５Ｇは、第１建物躯体３Ｇのダイニング３９３と第２建物躯体４Ｇの台所４９４とを接続する勝手口ホール５９０と、ダイニング３９３と玄関４９５とを接続する１階廊下５９３と、勝手口ホール５９０に登り口が接続された階段５９１、２階部分に設けられ、階段５９１の上端部と２階廊下３９７とを接続する２階ホール５９４等とを備える。２階ホール５９４は寝室４９８，４９９に隣接配置され、この２階ホール５９４から寝室４９８，４９９に行き来自在となっている。さらに第３建物躯体６は一階部分に設けられた居住空間６１と、２階部分に設けられた水廻設備を備えた部屋（トイレ６２、洗面所６３，気泡風呂６４を備えた浴室）等を備えている。
【００８８】  なお、以上の実施の形態例においては、各住宅が構築される敷地の形状を四角形状、五角形状、六角形状などのものとしたが、本発明はこれに限定されるものではなく、どのような形状、例えば三角形状の敷地としてもよい。
また、住宅を構成する第１建物躯体、第２建物躯体、接続部等の間取りは、接続部が第１建物躯体及び第２建物躯体とを接続するものであれば、任意に構成されていてもよく、その他、具体的な細部構造等についても適宜に変更可能であることは勿論である。
【発明の効果】
【００８９】
【発明の効果】
以上のように、本願発明の建物によれば、第１建物躯体と、第２建物躯体と接続部とを備え、第２建物躯体を敷地の形状，方位に対応させることで、前記敷地に構築されるので、敷地の形状，方位に合わせて敷地を最大限利用して、どのような形状の敷地，方位にも対応して容易に構築できる。また、工業化住宅の場合、敷地毎に、該敷地の形状，方位に対応させた複数種の住宅プランを設計する必要がない。
また、前記第１建物躯体は、寝室、リビング、ダイニング等のうち少なくとも一つの居住スペースを備えるので、構築される敷地の形状が独特なものであっても居住スペースを第１建物躯体で確実に確保した住宅となる。
更に、前記第２建物躯体は、台所、洗面所、トイレ、浴室等のうち少なくとも一つの水廻スペースを備えているので、第１建物躯体や接続部に水廻スペースを設ける必要を無くすことができる。また、第２建物躯体に、台所、洗面所、トイレ、浴室等の居住するために必要な水廻スペースを全て設けた構成とすれば、第１建物躯体や接続部において水廻スペースを設けるための配管作業を行う必要がなく、第２建物躯体においてのみその作業を行いその作業を容易にすることができる。
【図面の簡単な説明】
【図１】  本発明を適用した一例としての第１の実施の形態の住宅を正面側から見た図である。
【図２】  同住宅の１階部分の間取りを示す１階平面図である。
【図３】  同住宅の２階部分の間取りを示す１階平面図である。
【図４】  本発明を適用した第２の実施の形態の住宅を示す図であり、（ａ）は１階部分の平面図、（ｂ）は２階部分の平面図である。
【図５】  本発明を適用した第３の実施の形態の住宅を示す図であり、（ａ）は１階部分の平面図、（ｂ）は２階部分の平面図である。
【図６】  本発明を適用した第４の実施の形態の住宅を示す図であり、（ａ）は１階部分の平面図、（ｂ）は２階部分の平面図である。
【図７】  本発明を適用した第５の実施の形態の住宅を示す図であり、１階部分の平面図である。
【図８】  本発明を適用した第５の実施の形態の住宅を示す図であり、２階部分の平面図である。
【図９】  本発明を適用した第６の実施の形態の住宅を示す図であり、（ａ）は１階部分の平面図、（ｂ）は２階部分の平面図である。
【図１０】  本発明を適用した第７の実施の形態の住宅を示す図であり、（ａ）は１階部分の平面図、（ｂ）は２階部分の平面図である。
【図１１】  本発明を適用した変形例としての住宅を示す図であり、（ａ）は１階部分の平面図、（ｂ）は２階部分の平面図である。
【符号の説明】    １、１Ａ，１Ｂ，１Ｃ，１Ｄ，１Ｅ，１Ｆ，１Ｇ    住宅（建物）
２，２Ａ，２Ｂ，２Ｃ，２Ｄ，２Ｅ，２Ｆ，２Ｇ    敷地
３，３Ａ，３Ｂ，３Ｃ，３Ｄ，３Ｅ，３Ｆ，３Ｇ    第１建物躯体
４，４Ａ，４Ｂ，４Ｃ，４Ｄ，４Ｅ，４Ｆ，４Ｇ    第２建物躯体
５，５Ａ，５Ｂ，５Ｃ，５Ｄ，５Ｅ，５Ｆ，５Ｇ    接続部
【図１】
0005324019.tif 000002
【図２】
0005324019.tif 000003
【図３】
0005324019.tif 000004
【図４】
0005324019.tif 000005
【図５】
0005324019.tif 000006
【図６】
0005324019.tif 000007
【図７】
0005324019.tif 000008
【図８】
0005324019.tif 000009
【図９】
0005324019.tif 000010
【図１０】
0005324019.tif 000011
【図１１】
0005324019.tif 000012